(57)【要約】      （修正有）【課題】内照式看板での使用に最適な直管形ＬＥＤ灯を提供する。【解決手段】ＬＥＤ素子１と、前記ＬＥＤ素子１を長手方向に配列実装された基板２と、前記基板２を接着したヒートシンク３と、前記ヒートシンク３の両側に取り付けた口金７と前記口金７に取り付けた保持用ピン付き回転キャップ８と、前記基板２に半田付けした半田部９と、前記半田部９に接続する導線１１と、前記導線１１を引き出す内層シース１０と、前記内層シース１０を引き出す電源供給ケーブル５と前記電源供給ケーブル５に接続する防水接続器６と、前記基板２と、前記口金７の内側を覆うように充填する透明シリコン４からなる保守作業軽減無漏電内照看板ランプ及び前記保守作業軽減無漏電内照看板ランプ両端に取り付けられた本体の保持用ピン付き回転キャップの回転機構。【選択図】図４
2014120406.tif 000002
【特許請求の範囲】
【請求項１】
ＬＥＤ素子と、前記ＬＥＤ素子を長手方向に配列実装された基板と、前記基板を接着したヒートシンクと、前記ヒートシンクの両側に取り付けた口金と前記口金に取り付けた保持用ピン付き回転キャップと、前記基板に半田付けした半田部と、前記半田部に接続する導線と、前記導線を引き出す内層シースと、前記内層シース引き出す電源供給ケーブルと前記電源供給ケーブルに接続する防水接続器と、前記基板と、前記口金の内側を覆うように充填する透明シリコンからなる保守作業軽減無漏電内照看板ランプ。
【請求項２】
請求項１に記載の保守作業軽減無漏電内照看板ランプ両端に取り付けられた本体の保持用ピン付き回転キャップの回転機構。
【発明の詳細な説明】
【技術分野】
【０００１】
本発明は、特に内照式看板灯として使用される直管形蛍光灯の代替品としての、長寿命ＬＥＤにより交換頻度を低減し高防水構造により漏電障害を無くした保守作業軽減無漏電内照看板ランプに関する。
【背景技術】
【０００２】
従来の内照看板は、直管形蛍光灯が使用されている。
（例えば、特許文献１参照）
【先行技術文献】
【特許文献】
【０００３】
【特許文献１】特開２００７−２０７７６８号広報（段落００８、００９）
【発明の概要】
【発明が解決しようとする課題】
【０００４】
従来の内照式看板で使用されている直管形蛍光灯は供給電圧が高いため、看板内部への雨漏りによって口金部での漏電の事例が多く、感電の恐れがある。
【０００５】
従来の直管形蛍光灯は寿命が比較的短く、交換頻度も高いため保守費用がかかる。
【０００６】
直管形蛍光灯は全方向に光を発するが、従来の直管形ＬＥＤ灯は単一方向にしか照射されず、照射方向が自在に設定出来ないため、最適な方向に照射方向を合わせることが難しい。
【課題を解決するための手段】
【０００７】
ＬＥＤ素子と、前記ＬＥＤ素子を長手方向に配列実装された基板と、前記基板を接着したヒートシンクと、前記ヒートシンクの両側に取り付けた口金と前記口金に取り付けた保持用ピン付き回転キャップと、前記基板に半田付けした半田部と、前記半田部に接続する導線と、前記導線を引き出す内層シースと、前記内層シース引き出す電源供給ケーブルと前記電源供給ケーブルに接続する防水接続器と、前記基板と、前記口金の内側を覆うように充填する透明シリコンからなる保守作業軽減無漏電内照看板ランプ。
【０００８】
前記の保守作業軽減無漏電内照看板ランプ両端に取り付けられた本体の保持用ピン付き回転キャップの回転機構。
【発明の効果】
【０００９】
本発明は、ＬＥＤ素子の取り付けられた基板と、その基板に電源供給ケーブルを半田付けした半田部と口金の内側を透明シリコンで充填して完全に覆う様にすることで高防水性能を持たせる。
発光素子としてＬＥＤを使用することで給電電圧を低電圧に抑え、漏電および感電の危険を無くす。
【００１０】
本発明は、発光素子として長寿命であるＬＥＤを使用することで交換頻度を低減し、保守費用を軽減する。
【００１１】
口金部分と本体保持用ピン付き回転キャップを回転可能にすることで、光の照射方向を自在に設定可能とする。
【図面の簡単な説明】
【００１２】
【図１】本発明にかかる保守作業軽減無漏電内照看板ランプの構造を示す上面図である。
【図２】本発明にかかる保守作業軽減無漏電内照看板ランプの構造を示す正面図である。
【図３】本発明にかかる保守作業軽減無漏電内照看板ランプの上面右側図である。
【図４】本発明にかかる保守作業軽減無漏電内照看板ランプの図３に示すＣ−Ｃ断面図である。
【図５】本発明にかかる保守作業軽減無漏電内照看板ランプの図３に示すＡ−Ａ断面図である。
【図６】本発明にかかる保守作業軽減無漏電内照看板ランプの図３に示すＢ−Ｂ断面図である。
【図７】本発明にかかる保守作業軽減無漏電内照看板ランプの口金の回転構造を示す正面図である。
【発明を実施するための形態】
【００１３】
図１に示すように１０４個のＬＥＤ素子１を長手方向に取り付けた基板２をヒートシンク３に接着し、ヒートシンク３の両端に口金７を取り付け、口金７に保持ピン付き回転キャップ８を回転できるように取り付ける。
【００１４】
図２に示すようにヒートシンク３の両端に口金７を取り付け、口金７に保持ピン付き回転キャップ８を回転できるように取り付け、ヒートシンク３の右側一端より電源供給ケーブル５を出し、電源供給ケーブル５に防水接続器６を接続する。
【００１５】
図３は保守作業軽減無漏電内照看板ランプの右側一端を示し、Ａ−Ａでの断面を図５、Ｂ−Ｂでの断面を図６、Ｃ−Ｃでの断面を図４に示す。
【００１６】
図４に示すようにＬＥＤ素子１を長手方向に配列実装した基板２ヒートシンク３に接着し、ヒートシンク３に口金７を取り付け、口金７に回転できるように保持ピン付き回転キャップ８の取り付け、防水接続器６に電源供給ケーブル５を接続し、電源供給ケーブル５から引き出される内層シース１０と前記内層シース１０の導線１１と基板２に半田付けした半田部９と基板２を完全に覆うように口金７の内側全体に透明シリコン４を充填して完全に覆うことにより高防水性を実現する。
本体外部に対しては、ヒートシンク３下部のゴムブッシュ１２を取り付けた穴から電源供給ケーブル５を引き出し、電源供給ケーブル５に防水接続器６を取り付ける。
【００１７】
図５に示すようにヒートシンク３に基板２を接着し、基板２に電源を供給するケーブルの導線１１と、導線１１を半田付けした半田部９、半田部９から引き出された内層シース１０が口金７内側全体に充填された透明シリコン４によって外部から絶縁される。
【００１８】
図６に示すようにＬＥＤ素子１を長手方向に配列実装した基板２ヒートシンク３に接着し、ヒートシンク３の開口面上限まで完全に覆うように透明シリコン４を充填する。
【００１９】
図７に示すようにヒートシンク３の両端に取り付けた口金７に、保持ピン付き回転キャップ８を回転できるように取り付ける。
【産業上の利用可能性】
【００２０】
本発明は、看板灯の内照用蛍光灯、野菜工場及び水耕栽培、水槽、屋外駐輪場、屋外蛍光灯、壁面照明として利用可能である。
【符号の説明】
【００２１】
１・・・  ＬＥＤ素子
２・・・  基板
３・・・  ヒートシンク
４・・・  透明シリコン
５・・・  電源供給ケーブル
６・・・  防水接続器
７・・・  口金
８・・・  保持用ピン付き回転キャップ
９・・・  半田部
１０・・・内層シース
１１・・・導線
１２・・・ゴムブッシュ
【図１】
2014120406.tif 000003
【図２】
2014120406.tif 000004
【図３】
2014120406.tif 000005
【図４】
2014120406.tif 000006
【図５】
2014120406.tif 000007
【図６】
2014120406.tif 000008
【図７】
2014120406.tif 000009